(57)【特許請求の範囲】
【請求項１】
バルコニー又は廊下等のＰＣ版の前端部に沿って立設する複数の枠状治具と、この枠状治具に固定され下端部は前記ＰＣ版上に載置し上端部は伸縮自在の押当部材を有する支柱と、この支柱に横架する横つなぎ材と、この横つなぎ材に取り付けて張設する墜落防止ネットとを備えた支保工であって、前記枠状治具の上部外側に手摺仮固定用治具を取り付け、この手摺仮固定用治具により前記ＰＣ版の前端縁に立設した本設手摺を仮固定する墜落防止先付け支保工。
【請求項２】
バルコニー又は廊下等のＰＣ版の前端部に沿って複数の枠状治具を立設し、ＰＣ版上に載置した支柱を前記枠状治具に固定すると共に、支柱上端部に設けられた伸縮自在の押当部材を上階のＰＣ版の下面に押し当て、前記支柱に横つなぎ材を横架し、この横つなぎ材に墜落防止ネットを取り付けて張設し、前記枠状治具の上部外側に取り付けた手摺仮固定用治具でＰＣ版の前端縁に立設した本設手摺を仮固定する墜落防止先付け支保工の設置方法。
【発明の詳細な説明】
【０００１】
【発明の属する技術分野】
本発明は、バルコニー又は廊下等のＰＣ版施工に適した墜落防止先付け支保工及びその設置方法に関する。
【０００２】
【従来の技術】
建築現場において、プレキャストコンクリート（ＰＣ）製のバルコニーＰＣ版を取付施工するには、従来例えば図８（ａ）のように梁Ａの外側に取り付けた施工済みのバルコニーＰＣ版Ｂの上に枠組み足場Ｃを組み立て、この枠組み足場Ｃをもって上階に施工するバルコニーＰＣ版Ｄの支保工としている。
この場合、枠組み足場Ｃの構成部材が多く、その組み立て及び解体が面倒であるばかりか、解体後上階への盛り替えに手間が掛かる。又、枠組み足場Ｃによってバルコニーの通行が阻害され、枠組み足場Ｃを解体・搬出した後でなければ、上階に施工したバルコニーＰＣ版Ｄの下面（軒天井）の仕上げ工程をすることができない。従って、工期の短縮が図れずコストアップの原因になる。更に、上階に施工するバルコニーＰＣ版Ｄには手摺Ｅが仮設されるが、それが倒れないように支持棒Ｆを取り付ける必要があり、枠組み足場Ｃの盛り替え時にはその支持棒Ｆが邪魔になる。
【０００３】
他の従来例としては、図８（ｂ）のように複数の支柱Ｇと横つなぎ材Ｈ及び補強材Ｉとをやぐら状に組み付けて支保工を構成したものがあるが、使用する資材量が多く、組み払しと横持ち手間が掛かり、バルコニーＰＣ版Ｂ上の通行が阻害され、バルコニーＰＣ版Ｄの下面仕上げ工程への移行に手間取ることが多い。又、外部無足場工法におけるサの字鉄骨Ｊの建方において、墜落防止のために高い防護柵Ｋ等が必要となり、支保工とは別に墜落防止設備の材料が必要となる。前記従来例（ａ）の場合も同様である。バルコニーＰＣ版に限らず廊下等のＰＣ版についても同様のことがいえる。
【０００４】
【発明が解決しようとする課題】
本発明は、上記従来例における諸問題をすべて解決するためになされ、バルコニー又は廊下等のＰＣ版を支持する支保工と、本設手摺の仮固定と、サの字鉄骨建方時の墜落防止の３つの用途を兼用できる支保工であって、しかも構成部材が少なく、組み立て及び解体が容易であり、且つバルコニー又は廊下等の通行が阻害されないようにした先付け支保工及びその設置方法を提供することを目的とする。
【０００５】
【課題を解決するための手段】
このような目的を達成するための技術的手段として、本発明は、バルコニー又は廊下等のＰＣ版の前端部に沿って立設する複数の枠状治具と、この枠状治具に固定され下端部は前記ＰＣ版上に載置し上端部は伸縮自在の押当部材を有する支柱と、この支柱に横架する横つなぎ材と、この横つなぎ材に取り付けて張設する墜落防止ネットとを備えた支保工であって、前記枠状治具の上部外側に手摺仮固定用治具を取り付け、この手摺仮固定用治具により前記ＰＣ版の前端縁に立設した本設手摺を仮固定する墜落防止先付け支保工を要旨とする。
又、バルコニー又は廊下等のＰＣ版の前端部に沿って複数の枠状治具を立設し、ＰＣ版上に載置した支柱を前記枠状治具に固定すると共に、支柱上端部に設けられた伸縮自在の押当部材を上階のＰＣ版の下面に押し当て、前記支柱に横つなぎ材を横架し、この横つなぎ材に墜落防止ネットを取り付けて張設し、前記枠状治具の上部外側に取り付けた手摺仮固定用治具でＰＣ版の前端縁に立設した本設手摺を仮固定する墜落防止先付け支保工の設置方法を要旨とするものである。
【０００６】
【発明の実施の形態】
次に、本発明をバルコニーＰＣ版に適用した実施形態を添付図面に基づいて説明する。図１〜図３において、１は枠状治具であり、前後の縦材１ａと上下の横材１ｂとでほぼ方形又は台形に構成され、前後の縦材１ａの下端部には断面略Ｌ型の足材１ｃが対設され、この足材１ｃを介してバルコニーＰＣ版２に固定できるようにしてある。即ち、図４のように、バルコニーＰＣ版２の所定箇所にはアンカー２ａが立設されており、このアンカー２ａに前記足材１ｃの取付孔を嵌合しナットで固定することで枠状治具１を直立状態で取り付ける。この枠状治具１は、バルコニーＰＣ版２の前端部に沿って所定の間隔をあけて複数立設される。
【０００７】
図４において、３は手摺仮固定用治具であり、枠状治具１の上端部に嵌着する取付部３ａと、本設手摺５の上端部に嵌合する門型の係合部３ｂとを備え、これらの上部は間隔調整用のねじ棒４で連結されている。取付部３ａと係合部３ｂとは、上端がほぼ同じ高さに設定され、ねじ棒４の両面ナット４ａを緩めて係合部３ｂをねじ棒４に沿って移動することで、取付部３ａと係合部３ｂとの間隔を調整する。係合部３ｂの内面は、本設手摺５の傷付きを防止するためにゴム等により裏張りされている。
【０００８】
本設手摺５は、バルコニーＰＣ版２に形成された取付孔２ｂに足部５ａを差し込むと共に、グラウトＭを充填することで固定される。この際、本設手摺５の下端部は枠状治具１の下端部に取り付けられた位置決め片１ｄ、１ｅにより鉛直に位置決めされ、上端部は前記手摺仮固定用治具３の係合部３ｂにより保持される。
【０００９】
図１で６は管状の支柱であり、下部の台座６ａを前記バルコニーＰＣ版２の上に載置すると共に、ほぼ中間部及び下部を前記枠状治具１の横材１ｂにそれぞれ取付金具７を介して固定し、上端部には伸縮自在の押当部材８が螺挿されている。この押当部材８は、レバー８ａを回転させるとねじ棒８ｂが進退して伸縮自在となっており、そのねじ棒８ｂの先端部には台座８ｃが固定されている。従って、ねじ棒８ｂを進退させ、台座８ｃを上階のバルコニーＰＣ版２Ｕの下面に押し当てることができる。
【００１０】
９は横つなぎ材であり、前記支柱６の上部及びほぼ中間部にそれぞれ取付金具１０を介して横架され、この上下の横つなぎ材９に墜落防止ネット１１を取り付けて張設する。尚、横つなぎ材９を枠状治具１の横材１ｂに取り付けて枠状治具１間に横架し、この横つなぎ材９に前記支柱６を取り付けるようにしても良い。
【００１１】
上記のように構成された本発明に係る支保工１２は、建築現場でバルコニーＰＣ版２に地組みで先付けされる。図５及び図６はその地組みの状況を示しており、先ず図５のようにバルコニーＰＣ版２に複数の枠状治具１を立設する。１つのバルコニーＰＣ版２に対し複数台（通常２〜３台）の枠状治具１を所定の間隔をあけて立設する。
【００１２】
次いで、バルコニーＰＣ版２上に支柱６を載置すると共に、前記枠状治具１に取付金具７で固定する。この後、バルコニーＰＣ版２の前端縁に本設手摺５を立設し、手摺仮固定用治具３で本設手摺５の上端部を仮固定する。従って、手摺仮固定用治具３により本設手摺５を安定良く仮固定できるため、従来のような仮設手摺Ｅ及び支持棒Ｆは不要になる。
【００１３】
更に、支柱６の上部及びほぼ中間部に位置させて横つなぎ材９を取付金具１０にて横架し、その横つなぎ材９に墜落防止ネット１１の上下部をそれぞれ縛り付けることで墜落防止ネット１１を張設する。墜落防止ネット１１は、図２のように支柱６の下端部に至るまで張設することも可能である。その場合は、支柱６の下端部にも横つなぎ部材９ａを横架して墜落防止ネット１１ａの下端部を固定する。これにより、支保工１２の組み付けは完了する。
【００１４】
バルコニーＰＣ版２上に支保工１２を先付けした後、図７のようにバルコニーＰＣ版２をクレーン（図略）で建築中の建物の最上階に揚重し、バルコニーＰＣ版２の後端部を梁１３又は梁の型枠に載置し、その部分にコンクリートを打設することで定着し、バルコニーＰＣ版２と梁１３とスラブ１４とが一体化される。
【００１５】
このバルコニーＰＣ版２の取付施工に際し、既に取り付けられた下階のバルコニーＰＣ版２Ｄの支保工１２ＤがバルコニーＰＣ版２の前端部を下から受け止する。即ち、支保工１２Ｄの押当部材８Ｄの台座８ｃＤを高さ調整してバルコニーＰＣ版２の下面に押し当て、複数の支柱６ＤによりバルコニーＰＣ版２の前端部を受け止する。
【００１６】
このようにしてバルコニーＰＣ版２を定着した後、図７のようにサの字鉄骨１５を組み立てるが、この建方工程において前記墜落防止ネット１１が墜落防止の機能を発揮する。従来はこのような墜落防止ネットが付いてないため、別途に防護柵Ｋ等の墜落防止設備を後付けしなければならなかったが、本発明の場合は墜落防止ネット１１が予め付いているので手間が省け、鉄骨建方時の安全を直ちに確保することができる。
【００１７】
更に、下階から順にバルコニーＰＣ版の下面（軒天井）を部分的に補修したり、或は塗装する等の仕上げ工程が行われるが、その仕上げ工程において前記押当部材８の台座８ｃを上階のバルコニーＰＣ版の下面から離す。これにより、バルコニーＰＣ版の下面を補修したり塗装仕上げする時に、台座８ｃが邪魔になることはない。しかも、本発明による支保工１２は、従来のようにバルコニーＰＣ版の上面を占領しないため、通行が自由にできると共に脚立等を持ち込んで仕上げ工程を能率良く行うことができる。この仕上げ工程においても、支保工１２の墜落防止ネット１１が墜落防止機能を果たすので安全である。
【００１８】
支保工１２は、上階へのバルコニーＰＣ版２の取付時には支保工本来の機能を果たし、サの字鉄骨１５の建方及びバルコニーＰＣ版２の仕上げ工程時には墜落防止機能を果たし、更に本設手摺５の仮固定機能も果たすのであり、つまり３つの用途を兼用することができる。特に、外部に足場を設けない外部無足場工法にとって非常に便利であり、且つ大きな効果が得られる。
【００１９】
支保工１２の用済み後は、解体して地上に降ろし再びバルコニーＰＣ版に盛り替えて再利用するが、従来のものに比して構成部材が少ないためその解体作業及び盛り替え作業が容易にできる。解体時にバラバラにせずに、枠状治具１をバルコニーＰＣ版２から外すと共に、手摺仮固定用治具３を本設手摺５から外し、墜落防止ネット１１付きの状態で支保工１２全体をクレーン等で地上に降ろすようにしてもよい。支保工１２を除去した後、本設手摺５は後付けするバルコニーの側部材（図略）に連結固定する。
【００２０】
【発明の効果】
以上説明したように、本発明によれば、枠状治具と、上端部に伸縮自在の押当部材を有する支柱と、横つなぎ材とでほぼ垂直平面状の支保工本体を形成し、枠状治具の上部外側には手摺仮固定用治具を取り付けたので、バルコニーＰＣ版に立設した本設手摺を仮固定でき、手摺の揚重及び組み立て調整の早期化が可能となり、別途に仮設手摺を設ける場合のような盛り替え時の危険状況が発生し難く、且つ横つなぎ材には墜落防止ネットを張設したので、墜落防止設備の先行設置が可能となり、安全性が飛躍的に向上する等の効果を奏する。
又、支保工の構成部材が少ないため、コストの低減が可能になり、組み立て及び解体の手間が容易となり、且つバルコニーの通行が阻害されない構造であるから、バルコニーＰＣ版の下面仕上げの作業能率が向上し、サイクル工程が短縮して工期の短縮化及びコストダウンが図れる等の優れた効果も奏する。本発明は、バルコニーＰＣ版に限らず、廊下等のＰＣ版にも適用することが可能である。
【図面の簡単な説明】
【図１】本発明に係る墜落防止先付け支保工の実施形態を示す概略側面図
【図２】同、概略正面図
【図３】同、概略平面図
【図４】枠状治具及び手摺仮固定用治具の取付状態を示す概略側面図
【図５】地組みでの支保工の設置において、枠状治具を取り付けた状態を示す外観図、
【図６】支保工設置後の状態を示す外観図
【図７】支保工の使用状態を示す説明図
【図８】従来例を示すもので、（ａ）は枠組み足場を支保工とした例、（ｂ）は複数の管材をやぐら状に組み付けて支保工とした例のそれぞれ説明図
【符号の説明】
１…枠状治具
２…バルコニーＰＣ版
３…手摺仮固定用治具
４…ねじ棒
５…本設手摺
６…支柱
７…取付金具
８…押当部材
９…横つなぎ材
１０…取付金具
１１…墜落防止ネット
１２…支保工
１３…梁
１４…スラブ
１５…サの字鉄骨
【図１】
0004168129.tif 000002
【図２】
0004168129.tif 000003
【図３】
0004168129.tif 000004
【図４】
0004168129.tif 000005
【図５】
0004168129.tif 000006
【図６】
0004168129.tif 000007
【図７】
0004168129.tif 000008
【図８】
0004168129.tif 000009